(57)【特許請求の範囲】
【請求項１】
基板上の粒子を減少させる方法であって、
レジスト層が形成された第１半導体基板を用意する段階、
前記レジスト層の部分を選択的に光線に露光させ、前記レジスト層にパターンを形成する段階、
真空ポートを備えたチャックを有し、かつチャック洗浄素子を有するレジスト現像器を用意する段階、
前記第１半導体基板を前記チャック上に位置付ける段階、
前記チャックの真空ポートを通じて、前記第１半導体基板を真空吸着する段階、
前記第１半導体基板上の前記レジスト層内のパターンを現像する段階、
真空吸着を解除し、前記第１半導体基板を前記チャックから取り外す段階、
前記チャック洗浄素子を用いて、前記チャックを自動的に洗浄する段階であって、前記チャックを洗浄する段階は、前記レジスト現像器に備えられる放射源を用いて、前記第１半導体基板の露光と同じ範囲の波長を有する光線で前記チャック上の前記レジストを露光する段階と、現像液を前記チャック上に導入して前記露光されたレジストを除去する段階とを含む、段階、
第２半導体基板を用意する段階、および
前記第２半導体基板を前記チャック上に位置付け、前記第２半導体基板上のレジストを現像する段階
を具備することを特徴とする方法。
【発明の詳細な説明】
【０００１】
【発明の属する技術分野】
本発明は、一般的に、半導体ウエハおよびフラット・パネル・ディスプレイのような基板上の汚染粒子を減少させる方法に関するものである。
【０００２】
【従来の技術】
半導体素子を形成する際、基板は、典型的に、レジスト・コーティングや現像トラック(developing track)を含む、多数の異なる機器によって処理される。基板が機器によって処理されるに連れて、機器のチャックからの粒子が基板の裏面に蓄積する可能性がある。これらの粒子は、リソグラフィを含む後続の処理工程、または撮像工程(imaging step)において問題を発生する可能性がある。リソグラフィにおける焦点の深度は重要である。基板の裏面の粒子は、真空状態にすると、基板が焦点の深度を越えて反ってしまう原因となる可能性がある。
【０００３】
図１および図２を参照すると、上述の粒子に関する問題をよりよく理解することができる。図１は、チャック１０の平面図であり、トラック・システムのような半導体基板処理機器において現在用いられているものの典型である。チャック１０は、同心リング１２の形状の複数の隆起部分，真空ポート１４，および複数の窪んだ真空チャネル１６を含む。基板（図示せず）は、チャック上、理想的には中央に配置され、真空ポート１４を通じて真空状態に置かれる。区分された真空チャネル１８が同心状の真空チャネル１６と接続し、単一の集中真空ポート１４によって、真空は隣接する同心リング群１２を引き付けることができる。一旦真空が加えられると、基板は処理される。例えば、基板上にレジストを供与し、チャック上で回転させ、基板の前側全体を被覆する。スピン・サイクルの間、レジストの粒子が発生し、スピン・トラック・システムのスピナ・カップ(spiner cup)内の空気流の乱れのために、ウエハ周辺の空気中に漂い始める。これらの粒子は最終的にチャック上に堆積し、特に基板をチャックから取り去り次の基板をチャック上に配置する間に堆積する。
【０００４】
図２は、図１に示すチャックをレジスト・コータ(resist coater) に用いた場合の、半導体基板２０の裏面における典型的な粒子の分布を表す。粒子２２は、分離した粒子に対応し、チャック１０を用いた結果として生じたものではなく、単に基板をチャック上に装着している間に、結果的に基板の裏面に付着した(land)粒子である。粒子２４は、チャックの外縁に対応し、粒子２６はチャックの内部同心リング１２に対応する。（図２では、チャック１０のサイズは、図１に示すものよりも小さいことを注記しておく。実際には、基板は、当該基板を保持するチャックよりもかなり大きい場合もあり得る。）図２から明らかなように、最も密度が高い粒子分布は、チャックの隆起領域（すなわち、隆起部分１２のように、基板と直接接触するチャックの部分であり、隣接する同心真空チャネル１６を分離する部分である）に対応する。これらの領域では、一旦他のチャック上に装着した基板の反りの激しさのために、粒子密度が後続の処理において問題の原因となる可能性がある。
【０００５】
この裏面粒子の問題を解決する従来技術の試みの１つに、エッジ・ビード除去システム(edge bead removal system)を用いるものがある。しかしながら、エッジ・ビード除去システムは、典型的に、チャックによって基板上に取り込まれた粒子の除去は行わない。エッジ・ビード除去プロセスでは、典型的に、溶剤を基板の縁に注ぎ、基板の縁上またはその付近にあるレジストを除去する。エッジ・ビード除去プロセスの中には、溶剤をエッジ付近の基板の裏面にも送り込むものがある。しかしながら、溶剤を基板の裏面に送り込む場合、チャックと接触する基板の裏面の領域、およびチャック周囲と隣接する領域は、溶剤に露出することができず、したがって清浄化されない。
【０００６】
この問題を解決するための他の従来技術の試みに、後続の処理工程において、チャックおよび基板間の接触領域を不釣り合いにする、即ち、ずらすものがある。たとえば、レジスト・コータ内のチャックの接触領域パターンは、ステッパ内のチャックの接触領域パターンとは異なるように作成する。レジスト・コーティングの結果として生じる基板の裏面上の粒子は、したがって、ステッパにおいてチャックの真空チャネル内に入るように設計されている。しかしながら、光学検査方法でさえも、後続の処理において用いられるチャックにとって粒子の位置が「安全な」領域内にあるのか、あるいは粒子の密度が容認可能であるのかを常に確認することはできない。
【０００７】
この粒子問題を解決する更に他の試みに、粒子が基板の裏面に取り込まれる処理工程に続く処理工程において、ピン・チャック(pin chuck) を用いるものがある。ピン・チャックおよび基板間の表面接触量は減少するが、ピン・チャックがウエハの裏面上の粒子と接触する位置がなおもあり得る。時間の経過とともに、粒子はピン上に蓄積する可能性があり、洗浄が必要となる。ピン・チャックの洗浄は、ピン数が多いために困難である。また、ピンの洗浄は、ピンの平面性にも影響を及ぼし、致命的な基板の焦点ずれに至る可能性がある。
【０００８】
基板の裏面上の粒子は、リソグラフィ以外の、イオン注入やプラズマ・エッチング工程を含む処理工程において、問題を発生する可能性がある。イオン注入の場合、基板にドーパントを導入するために用いられるイオン・ビームによって、基板が加熱する。この熱はレジストを網状化(reticulate)し、プラズマ・アッシュ・レジスト・ストリップ(plasma ash resist strip) のような後続の工程の間にレジストを除去するのをほぼ不可能にする。プラズマ・エッチング・チャンバ内では、粒子はある基板から別の基板に移転する可能性がある。結果的に、粒子は機器の外にも転移し、拡散炉のような汚染に敏感な処理機器に侵入する。更に、基板上の裏面粒子は、基板表面を横切る温度傾斜のために、非均一な基板のエッチングを誘発する可能性がある。
【０００９】
【発明が解決しようとする課題】
したがって、特に、基板上に液体を供与する場合に、チャックから基板の裏面に取り込まれる粒子量を減少させることが必要とされている。更に、粒子が基板上に永久的に残留する確率を低下させることも必要とされており、２５以上のマスキング工程を有する複雑度の高い処理フローについて、この確率低下は特に必要とされている。
【００１０】
【課題を解決するための手段】
本発明によれば、基板上の粒子を減少させる方法であって、
レジスト層が形成された第１半導体基板を用意する段階、
前記レジスト層の部分を選択的に光線に露光させ、前記レジスト層にパターンを形成する段階、
真空ポートを備えたチャックを有し、かつチャック洗浄素子を有するレジスト現像器を用意する段階、
前記第１半導体基板を前記チャック上に位置付ける段階、
前記チャックの真空ポートを通じて、前記第１半導体基板を真空吸着する段階、
前記第１半導体基板上の前記レジスト層内のパターンを現像する段階、
真空吸着を解除し、前記第１半導体基板を前記チャックから取り外す段階、
前記チャック洗浄素子を用いて、前記チャックを自動的に洗浄する段階であって、前記チャックを洗浄する段階は、前記レジスト現像器に備えられる放射源を用いて、前記第１半導体基板の露光と同じ範囲の波長を有する光線で前記チャック上の前記レジストを露光する段階と、現像液を前記チャック上に導入して前記露光されたレジストを除去する段階とを含む、段階、
第２半導体基板を用意する段階、および
前記第２半導体基板を前記チャック上に位置付け、前記第２半導体基板上のレジストを現像する段階
を具備することを特徴とする方法が提供される。
概して言えば、本発明は、チャック洗浄プロセスを用いて、半導体ウエハまたはフラット・パネル・ディスプレイのような基板の裏面の粒子を減少させる方法である。トラック・システムは、基板を処理するためのチャックを含む。トラック・システム上で基板を処理する合間に、チャックの表面に付着している残留物を除去する。チャック洗浄過程の後、例えば、スピニング(spinning)によってチャックを乾燥させ、新しい基板を処理する。この過程は、レジスト・コーティング・トラック，レジスト現像トラック，スピン・オン・ガラス・コータ，イオン・インプランタ，ステッパ，およびその他の撮像システムを含む、異なるタイプの機器において使用可能である。自動的にチャックを洗浄することにより、基板上の欠陥の原因となる粒子の量を減少させ、歩留まりを高めるのに役立つ。処理は自動化されているので、追加のマンパワーに対する要求もない。更に、チャック洗浄過程は、システムのスループットに悪影響を与えることなく、製造プロセスに統合することができる。
【００１１】
これらおよびその他の特徴及び利点は、添付する図３ないし図６と関連付けた以下の詳細な説明から一層明確に理解されよう。なお、図は必ずしも同じ拡縮率で描かれている訳ではなく、具体的に例示していない他の実施例も本発明には可能性があることを指摘するのは重要である。更に、種々の図において同様の参照番号を用い、同一の部分または対応する部分を示す場合もある。
【００１２】
【発明の実施の形態】
図３は、基板チャック１０を含む、コーティング・トラック・システム３０の断面図の例示を含む。基板チャック１０は、図１に示したものと同様であり、真空ポート１４および真空チャネル１６に沿って、隆起部分１２を含む。また、システム３０は、横方向に移動可能な供与アーム(dispense arm)３２も有する。供与ノズル３４，ブラシ３６，およびエッジ・ビード除去（ＥＢＲ：edge bead removal ）ノズル３８が、供与アーム３２に取り付けられている。供与アーム３２、供与ノズル３４、ブラシ３６、及びエッジ・ビード除去ノズル３８は、コータ・チャック洗浄素子を構成する。供与ノズル３４によってレジスト材料を基板（図３には示されていない）上に導入し、基板上にレジスト材料を被覆することができる。また、システム３０は、アイドル・バス３７も含み、このアイドル・バス３７は、供与ノズル３４の端部またはブラシ３６の剛毛の間に残っているあらゆる残留物質を溶解する際に用いる溶剤３９を有する。エッジ・ビード除去ノズル３８は、ケトン，エーテル，アセテート，脂肪族炭化水素(aliphatic hydrocarbon) ，またはその他の有機溶剤のような溶剤を供与するために用いられる。
【００１３】
図４は、コーティング・システム３０を用いる際のプロセス・フロー・チャートを含む。ステップ６０に示すように、基板をチャック１０上に位置付ける。基板は、裏面粒子が製造プロセス上の問題となる、多数の異なる基板材料の１つとすることができ、単結晶半導体ウエハ，絶縁物上半導体基板，半導体素子を形成するために用いられるその他の基板，フラット・パネル・ディスプレイ，または、例えば、リソグラフィ工程において、基板の処理の間整合および平面性が重要となるその他のタイプの基板を含む。基板をチャック上に位置付けた後、真空状態とし、ステップ６２に示すように基板上にレジスト層を被覆する。コーティングの後、真空吸着を解除し、ステップ６４において基板をチャックから取り外す。
【００１４】
本発明の一実施例によれば、ステップ６６においてチャックを洗浄し、チャックの表面上にあり、ステップ６８の結果としてチャック上に次に装着される基板と接触する可能性のある、あらゆる残留レジストを除去する。ここでは洗浄プロセスに対するいくつかの処理パラメータを提示するが、これらのパラメータは限定を意味する訳ではなく、本発明を実施する際に使用可能な多くのオプションのいくつかの例示に過ぎない。一実施例では、洗浄を行う際に、チャック上に溶剤を供与し、溶剤供与の間または後にチャックを回転させる。いずれの溶剤を供与する前にも、真空ポート１４を調節し、真空ポートに正の圧力が加えられるようにして、真空ポンプに損傷を与える可能性がある、真空ラインへの溶剤物質のあらゆる逆流の可能性を低下させる。洗浄プロセスの間、好ましくは、エッジ・ビード除去ノズル３８を通じてレジスト溶剤を供与する。通常、ケトン，エーテル，アセテート，および脂肪族炭化水素族の溶剤，またはその他の有機溶剤が、レジスト・コータの用途におけるチャックの洗浄に用いて好適である。一特定実施例では、ＥＧＭＥＡ（エチレン・ゴリコール・モノエチル・エーテル・アセテート(ethyleneglycol monoethyl ether acetate) ）またはＰＧＭＥＡ（プロピレン・グリコール・モノメチル・エーテル・アセテート(propylene glycol monomethyl ether acetate) ）を供与してチャックの洗浄を行う。これらは双方共、エッジ・ビード除去プロセスにおいて一般的に用いられる化学薬品である。あるいは、エチル・ラクテート(etyle lactate) またはＥＥＰ（２−メトキシ・プロピオナート(2-methoxy propionate)）を用いることもできる。
【００１５】
溶剤の供与は、多数の異なる方法で行うことができる。一特定実施例では、溶剤の供与の間毎分約５０ないし３００回転の範囲の速度でチャック１０を回転させる。十分な体積の溶剤を供与した後、フローを終了し、更に高い速度、例えば、毎分１０００回転を越える速度でチャックを回転させ、次の基板をチャック上に配置する前に、チャックを乾燥させる。他のオプションには、従来のパドル現像(paddle development)と同様の、パドル・フローの使用が含まれる。例えば、十分な溶剤がチャック上にあり、実際にチャック表面から溢れるように、溶剤をチャック１０上に流すことも可能である。更に他の代替実施例では、スピン乾燥工程において、チャックが乾燥する可能性を更に高める補助とするために乾燥ノズル（図３には示されていない）を用いる。乾燥ノズルは、フィルタ処理した窒素，空気，またはその他の比較的不活性なガスを流すことができる。追加の乾燥を必要とする場合、乾燥ノズルは、高速回転処理の間に、加熱空気または加熱窒素のような加熱ガスをチャック１０に導入することも可能である。加熱ガス・フローを用いる場合、レジスト・コートのような温度に敏感なプロセスにおいてチャックを用いるのであれば、チャックの温度を監視し、必要に応じて調節すべきであろう。
【００１６】
洗浄は、チャック１０上で各基板を処理する合間、または基板の各ロット（１ロットは、１３ないし２５枚の基板のいずれでもよい）の間のように、より周期的に使用することができる。更に、上述のようにエッジ・ビード除去ノズル３８を用いた場合には容易に溶解されない残留物質は、例えば、危険ロット(critical lot)が発生する度または製造設備においてシフトがある度のように、非周期的に、ブラシ３６を用いて除去することができる。ブラシ３６は、使用しない場合は、溶剤３９に浸けておく。ブラシ３６を用いることにより、溶融が困難な残留物質や、基板自体の削られた部分のように、堅い粒子を有する残留物質をチャックから取り除くのに役立てるために、実際のブラッシングによる機械的動作を用いることができる。
【００１７】
アイドル・バス３７内にブラシ３６を有することに加えて、供与ノズル３４が溶剤３９の上に位置し、ノズル３４が溶剤３９から上にある飽和蒸気内に位置するように、システム３０を構成することが好ましい。エッジ・ビード除去ノズル３８を通じて供与される液体および溶剤３９は、同じ流体とすることができる。
【００１８】
本発明を多種多様な他のタイプの処理工程に適用するための多数の異なる実施例が存在する。これまでの説明はレジスト・コーティング・システムに関連付けて行ったが、本発明は、スピン・オン・ガラス（ＳＯＧ：spin-on glass ）のような他の物質や、液体またはゾル−ゲル溶液として基板上に供与される他の物質のコーティングにも拡張可能である。ＳＯＧのための特定実施例では、エッジ・ビード除去ノズル３８は、フッ化水素酸や緩衝酸化物エッチャントのような酸化物溶剤、またはＳＯＧを有するキャリア溶剤を流すように変更する。他の実施例では、本発明は、現像トラック・システム(developing track system) において用いるために変更することができる。これについては、以下で更に述べる。現像トラック・システムでは、エッジ・ビード除去ノズルは、現像液(developer solution)を流し、チャックに付着しているレジスト材料を更に除去するのに役立てる。
【００１９】
更に、本発明は、チャックを有する他の機器にも拡張可能である。これらは、ステッパや投射露光装置(projection aligner)のようなリソグラフ・システム，スピン・コータ（例えば、基板にＳＯＧを被覆する際に用いるような），およびプラズマ・エッチング・システム，またはイオン注入システムさえも含む。リソグラフ・システムの場合、本発明の装置は、当該システム内でパターンを規定するために用いられる光学系に洗浄溶剤が達するのを防止するために、多少変更する必要がある場合もある。しかしながら、光学系に到達する前に溶剤の蒸気がシステムから枯渇するようにシステムを変更し、チャック洗浄部分をシステムの残りから遮蔽し、溶剤が光学レンズに接近する可能性を低下させることにより、これらの問題を解決することが可能である。
【００２０】
ブラシ３６は、スポンジ、またはチャックの表面を擦るのに用いることができるその他の物体と交換することができる。ブラシ，スポンジ，またはその他の物体は、エッジ・ビード除去ノズル３８から放出される溶剤あるいはアイドル・バス３７内の溶剤のいずれにも溶解しない物質で作らなければならない。更に、機械的な洗浄によって物質が磨耗するので、ブラシまたはスポンジは、ある程度機械的な摩擦には強くなければならない。また、物質は、損傷やひっかき傷を与えたり、あるいはチャックの形状即ちトポグラフィ(topography)を変化させないようなものでなければならない。
【００２１】
図５は、現像トラック・システムにおいて用いられるシステム５０を含む。チャック１０が回転して、基板からチャックに移転したあらゆる残留レジストを露光する際に、光ファイバ・ケーブル４２がチャック１０の表面を走査する。光ファイバ・ケーブル４２を用いた露光に続いて、現像液、通常、ヒドロキシル基を有する塩基(base)をチャック１０上に導入し、露光されたレジストを除去する。
光ファイバ・ケーブル４２の利点の１つは、レジスト材料を露光するために用いる特定の波長に、光ファイバ・ケーブルから放出される光線の周波数を調整可能であることである。例えば、レジスト材料がフォトレジストである場合、光ファイバ・ケーブル内で光が用いられる。紫外線レジストを用いる場合、光ファイバ・ケーブルは紫外線光線を放出する。光ファイバ・システムは、レジスト・コーティング・システムにも用いることができる。
【００２２】
更に他の実施例では、図６に示すように、溢れ露光システム(flood exposing system) を用いることも可能である。レジスト・コーティング・システム５０は、下側部分５１２および上側部分５１４を有するスピンナ・カップ(spinner cup) ５１を含む。これら２部分は、フランジ５１５において互いに固定されている。上側部分５１４の最上部付近にリム５１６がある。レジスト・コーティング・システム５０は、放射装置５２を含み、リム５１６においてスピンナ・カップ５１に取り付けられている。放射装置５２は、放射源５０２および反射器５０４を含む。放射源５０２は、レジストを露光する際に用いられる放射光線の波長と一致するように選択される。フォトレジストでは、放射源５０２は電球または水銀灯と同じぐらい単純なものでも可能である。紫外線レジストを用いる場合、放射源は紫外線放射源とすべきである。この特定実施例は、スピンナ・カップ内でレジストを露光するのに有用である。即ち、スピンナ・カップ５１は、典型的に、テフロンのように、白い半透明の物質で作られる。放射源５２０からの放射光線は、スピンナ・カップ５１の壁で反射し、カップの壁の全表面に反射され、こうしなければレジストが蓄積するスピンナ・カップの部分を露光する。露光に続いて、放射装置５２を除去し、現像用溶剤を備えた供与アームは、チャックに自由にスプレーし、スピンナ・カップ５１の壁からレジストを除去するように位置付けられる。これによって、スピンナ・カップ内のレジストの蓄積は、従来技術の方法に比較して、比較的低く保つことが可能となる。
【００２３】
本発明は、基板の裏面にある粒子を減少させる従来技術の方法に対して多くの利点を有する。まず、チャックは適度に清浄に保たれ、残留する汚染物がチャックから基板の裏面に移転する可能性を低下させる。本発明を実施することにより、特に大きな基板（例えば、直径が３００ミリメートル以上のウエハ）および臨界寸法が０．２５μｍ以下の基板に対して、リソグラフ工程におけるプロセス・マージンの増大、および汚染の危険性低下が期待される。本発明の実施例の他の利点は、基板を処理する際に追加のオーバーヘッドを生ずることなく、プロセス・フローに統合されることである。例えば、チャック洗浄工程は、レジスト層またはＳＯＧ層にソフト・ベーク(soft-bake) を行う際に用いられる加熱板上に基板がある間に行うことができる。ソフト・ベーク工程は、通常、コーティングの間に層内にある溶剤の幾分かを追い出すために行われる。典型的に、ソフト・ベークは、コーティング・トラック・システムに対するスループットを制限するものである。本発明のチャック洗浄工程は、ソフト・ベークが行われている間に進められるように統合する。
【００２４】
本発明の実施例の他の利点は、特殊なまたは特異な物質の処理方法を使用する必要がないことである。例えば、被覆された物質の溶剤がスピンナ・カップに導入されるように、コーティング・トラックを変更することができる。レジストの場合、典型的に、溶剤がいずれかの方法でエッジ・ビード除去のために用いられる。したがって、追加の配管工事や、現在は未だトラック・システムに供給されていない新しい化学薬品は必要でない。本発明の他の利点は、マ−ジン処理工程(marginal processing step)を組み込む必要なく、本発明を実施可能であることである。処理は基板間で行われるので、プロセス・パラメータは、用いる機器に対して最良に作用するように、特定のプロセスに対して個々に決定することができる。本発明の実施例は、基板上に誘発される欠陥量を減らすことにより、歩留まりを向上させるのに役立つであろう。前述の洗浄方法は、個々の基板間、基板のロット間で、シフト変更時に、またはチャックの洗浄が合理的に必要となった他の時点において、洗浄過程のいくつかまたは全てを行うように実施することができる。洗浄は、システムによって行われ、人の介入は不要である。
【００２５】
以上の説明から、本発明によれば、チャックの洗浄を利用し基板から粒子を減少させる方法が提供され、前述の必要性を完全に満たししかも利点が得られることは明白である。本発明は、その特定実施例を参照しながら説明しかつ図示したが、本発明はこれらの例示的実施例に限定されることを意図する訳ではない。本発明の精神から逸脱することなく、変更や改造が可能であることを、当業者は認めよう。例えば、本発明は、チャックを洗浄するために特に述べた特定の溶剤または化学薬品に限定される訳ではない。加えて、本発明は、ここに記載した半導体素子のための特定のスピン・コーティング・プロセスに限定されるものでもない。例えば、本発明は、周期的にチャックを洗浄することが有利な、スピン・コーティング・プロセスであればいずれにおいても使用可能である。また、本発明は、ここで述べた特定のコーティング材には決して限定されないことを注記するのも重要である。ポリイミドなどを含む他のポリマも、本発明によるチャックを用いて被覆することが可能である。更にまた、本発明は、基板のためのコーティング・プロセスにも限定されない。残留膜または堆積物がチャック表面上に形成する場合、基板洗浄プロセスも、本発明から恩恵を得ることができる。したがって、本発明は、かかる改造や変更の内、特許請求の範囲に該当するものを全て含むことを意図するものである。
【図面の簡単な説明】
【図１】レジストまたは現像剤を供与するためのスピン・トラックに用いられている従来技術のチャックを示す平面図。
【図２】図１のチャックから移転した汚染物によって生じた粒子を示す基板の底面図。
【図３】  チャック、および本発明の一実施例にしたがってチャックを洗浄するために用いられる機構を含むスピン・トラック・システムの一部を示す断面図。
【図４】本発明の実施例によるプロセス・フロー・チャート。
【図５】本発明の他の実施例による光ファイバ・ケーブルを用いるスピン・トラックを示す断面図。
【図６】本発明の他の実施例にしたがって、チャックおよびスピナ・カップの壁の双方の溢れ露光(flood exposure)が放射源に露光される、レジスト・コーティングに用いられるスピナ・カップの一部を示す断面図。
【符号の説明】
１０    基板チャック
１２    隆起部分
１４    真空ポート
１６    真空チャネル
３０    コーティング・トラック・システム
３２    供与アーム
３４    供与ノズル
３６    ブラシ
３７    アイドル・バス
３８    エッジ・ビード除去ノズル
３９    溶剤
４２    光ファイバ・ケーブル
５０    システム
５１    スピンナ・カップ
５２    放射装置
５０２    放射源
５０４    反射器
５１５    フランジ
５１６    リム
【図１】
0004583515.tif 000002
【図２】
0004583515.tif 000003
【図３】
0004583515.tif 000004
【図４】
0004583515.tif 000005
【図５】
0004583515.tif 000006
【図６】
0004583515.tif 000007